(57)【特許請求の範囲】
【請求項１】
三相交流電圧および中性点電圧を負荷に供給する三相４線式の無停電電源装置であって、
商用交流電源から供給される三相交流電圧を第１、第２および第３の直流電圧に変換してそれぞれ第１、第２および第３の直流母線に出力するコンバータと、
前記第１および第３の直流母線間に接続された第１のコンデンサと、
前記第３および第２の直流母線間に接続された第２のコンデンサと、
前記第１、第２および第３の直流母線を介して供給される前記第１、第２および第３の直流電圧を三相交流電圧に変換して前記負荷に供給するインバータと、
前記第１および第２の直流母線と電力貯蔵装置との間に接続された双方向チョッパとを備え、
前記第１の直流電圧は前記第２の直流電圧よりも高く、前記第３の直流電圧は前記第１および第２の直流電圧の中間電圧であって前記中性点電圧として前記負荷に供給され、
前記双方向チョッパは、前記第３の直流母線には接続されておらず、
前記双方向チョッパは、
前記第１および第２の直流母線間に直列接続された第３および第４のコンデンサと、
前記第１の直流母線と前記第３および第４のコンデンサ間の第１のノードとの間に直列接続された第１および第２のトランジスタと、
前記第１のノードと前記第２の直流母線との間に直列接続された第３および第４のトランジスタと、
それぞれ前記第１〜第４のトランジスタに逆並列に接続された第１〜第４のダイオードと、
前記第１および第２のトランジスタ間の第２のノードと前記電力貯蔵装置の正極との間に接続される第１のコイルと、前記電力貯蔵装置の負極と前記第３および第４のトランジスタ間の第３のノードとの間に接続される第２のコイルとを有するノーマルモードリアクトルとを含み、
前記無停電電源装置は、さらに、前記商用交流電源から三相交流電圧が供給されている通常時は前記第１および第４のトランジスタを交互にオンさせて前記電力貯蔵装置を充電する充電モードを実行し、前記商用交流電源からの三相交流電力の供給が停止された停電時は前記第２および第３のトランジスタを交互にオンさせて前記電力貯蔵装置を放電させる放電モードを実行する制御装置を備え、
前記制御装置は、前記放電モード時は、前記第３および第４のコンデンサの端子間電圧が一致するように前記第２および第３のトランジスタのうちの少なくともいずれか一方のトランジスタのオン時間を制御する、無停電電源装置。
【請求項２】
さらに、前記第３のコンデンサの端子間電圧を検出する第１の電圧検出器と、
前記第４のコンデンサの端子間電圧を検出する第２の電圧検出器とを備え、
前記制御装置は、前記放電モード時は、前記第１および第２の電圧検出器の検出値が一致するように前記第２および第３のトランジスタのうちの少なくともいずれか一方のトランジスタのオン時間を制御する、請求項１に記載の無停電電源装置。
【請求項３】
前記制御装置は、前記第１および第２の電圧検出器の検出値を比較し、前記第１の電圧検出器の検出値が前記第２の電圧検出器の検出値よりも小さい場合は前記第２のトランジスタのオン時間を減少させるとともに前記第３のトランジスタのオン時間を増大させ、前記第１の電圧検出器の検出値が前記第２の電圧検出器の検出値よりも大きい場合は前記第２のトランジスタのオン時間を増大させるとともに前記第３のトランジスタのオン時間を減少させる、請求項２に記載の無停電電源装置。
【請求項４】
請求項１に記載の無停電電源装置を複数備え、
複数の前記無停電電源装置は、負荷に対して並列接続されるとともに、前記電力貯蔵装置を共用する、無停電電源システム。
【発明の詳細な説明】
【技術分野】
【０００１】
この発明は無停電電源装置およびそれを用いた無停電電源システムに関し、特に、三相４線式の無停電電源装置と、それを用いた無停電電源システムに関する。
【背景技術】
【０００２】
特開２０１０−１８７４３１号公報（特許文献１）には、負荷に対して三相交流電圧および中性点電圧を供給する三相４線式の無停電電源システムが開示されている。無停電電源システムは、負荷に対して並列接続された複数の無停電電源装置を備える。各無停電電源装置は、交流電源からの三相交流電圧を直流電圧に変換するコンバータと、直流電圧を平滑化するコンデンサと、直流電圧に基づいて中性点電圧を生成するアームと、直流電圧を三相交流電圧に変換するインバータとを含む。コンデンサには、停電時に直流電圧をアームおよびインバータに供給するバッテリが接続されている。【０００３】
特開２０１１−１４２７０５号公報（特許文献２）には、負荷に対して並列接続された複数の無停電電源装置を備えた無停電電源システムが開示されている。複数の無停電電源装置は、バッテリを共用する。各無停電電源装置は、コンバータ、インバータ、および双方向チョッパを含む。コンバータは、交流電源からの交流電力を直流電力に変換する。インバータは、直流電力を交流電力に変換して負荷に供給する。双方向チョッパは、交流電源から交流電力が供給されている通常時は、コンバータで生成された直流電力の一部をバッテリに蓄え、交流電源からの交流電力の供給が停止された停電時は、バッテリの直流電力を負荷に供給する。
【先行技術文献】
【特許文献】
【０００４】
【特許文献１】特開２０１０−１８７４３１号公報
【特許文献２】特開２０１１−１４２７０５号公報
【発明の概要】
【発明が解決しようとする課題】
【０００５】
三相４線式の無停電電源システムでは、複数の無停電電源装置の中性点は互いに接続される。各無停電電源装置の双方向チョッパが中性点に接続されている場合（図２参照）、双方向チョッパが故障してバッテリと中性点が短絡されると、バッテリから中性点を介して負荷および他の無停電電源装置に電流が流れ、負荷および他の無停電電源装置が故障する恐れがある。【０００６】
それゆえに、この発明の主たる目的は、双方向チョッパが故障した場合に負荷および他の無停電電源装置が故障することを防止することが可能な無停電電源装置と、それを用いた無停電電源システムを提供することである。
【課題を解決するための手段】
【０００７】
この発明に係る無停電電源装置は、三相交流電圧および中性点電圧を負荷に供給する三相４線式の無停電電源装置であって、商用交流電源から供給される三相交流電圧を第１、第２および第３の直流電圧に変換してそれぞれ第１、第２および第３の直流母線に出力するコンバータと、第１および第３の直流母線間に接続された第１のコンデンサと、第３および第２の直流母線間に接続された第２のコンデンサと、第１、第２および第３の直流母線を介して供給される第１、第２および第３の直流電圧を三相交流電圧に変換して負荷に供給するインバータと、第１および第２の直流母線と電力貯蔵装置との間に接続された双方向チョッパとを備える。第１の直流電圧は第２の直流電圧よりも高く、第３の直流電圧は第１および第２の直流電圧の中間電圧であって中性点電圧として負荷に供給される。双方向チョッパは、第１および第２の直流母線間に直列接続された第３および第４のコンデンサと、第１の直流母線と第３および第４のコンデンサ間の第１のノードとの間に直列接続された第１および第２のトランジスタと、第１のノードと第２の直流母線との間に直列接続された第３および第４のトランジスタと、それぞれ第１〜第４のトランジスタに逆並列に接続された第１〜第４のダイオードと、第１および第２のトランジスタ間の第２のノードと電力貯蔵装置の正極との間に接続される第１のコイルと、電力貯蔵装置の負極と第３および第４のトランジスタ間の第３のノードとの間に接続される第２のコイルとを有するノーマルモードリアクトルとを含む。無停電電源装置は、さらに、商用交流電源から三相交流電圧が供給されている通常時は第１および第４のトランジスタを交互にオンさせて電力貯蔵装置を充電する充電モードを実行し、商用交流電源からの三相交流電力の供給が停止された停電時は第２および第３のトランジスタを交互にオンさせて電力貯蔵装置を放電させる放電モードを実行する制御装置を備える。制御装置は、放電モード時は、第３および第４のコンデンサの端子間電圧が一致するように第２および第３のトランジスタのうちの少なくともいずれか一方のトランジスタのオン時間を制御する。
【発明の効果】
【０００８】
この発明に係る無停電電源装置では、双方向チョッパは第３の直流母線に接続されていないので、第２のトランジスタが故障して短絡状態になった場合でも、バッテリから負荷および他の無停電電源装置に電流が流れて負荷および他の無停電電源装置が故障することがない。さらに、放電モード時には、第３および第４のコンデンサの端子間電圧が一致するように第２および第３のトランジスタのうちの少なくともいずれか一方のトランジスタのオン時間を制御するので、第３および第４のコンデンサのうちの一方のコンデンサの端子間電圧が過大になることもない。
【図面の簡単な説明】
【０００９】
【図１】本願発明の比較例となる無停電電源システムの構成を示す回路ブロック図である。
【図２】図１に示した無停電電源装置の構成を示す回路図である。
【図３】図２に示した電力変換器の構成を示す回路ブロック図である。
【図４】図３に示したインバータを制御するためのＰＷＭ信号の波形を示すタイムチャートである。
【図５】図２に示した双方向チョッパの構成を示す回路ブロック図である。
【図６】この発明の一実施の形態による無停電電源システムに含まれる無停電電源装置の構成を示す回路図である。
【図７】図６に示した双方向チョッパおよびその制御に関連する部分を示す回路ブロック図である。
【図８】図７に示した制御装置のうちのバッテリの放電に関連する部分を示すブロック図である。
【図９】図７および図８に示した制御装置の放電モード時の動作を示すフローチャートである。
【発明を実施するための形態】
【００１０】
[比較例]
本願発明の理解を容易にするため、実施の形態を説明する前に、まず本願発明の比較例について説明する。図１は、本願発明の比較例となる３相４線式の無停電電源システムの構成を示す回路ブロック図である。図１において、この無停電電源システムは、Ｎ台（Ｎは２以上の整数である）の無停電電源装置（ＵＰＳ）Ｕ１〜ＵＮと、バッテリ（電力貯蔵装置）３とを備える。
【００１１】
無停電電源装置Ｕ１〜ＵＮは、商用交流電源１と負荷２の間に並列接続され、１つのバッテリ３を共用する。商用交流電源１は、三相３線式で三相交流電力を無停電電源装置Ｕ１〜ＵＮの各々に供給する。無停電電源装置Ｕ１〜ＵＮの各々は、三相４線式で三相交流電力を負荷２に供給する。三相３線式とは、三相交流電圧が印加される３本の配線を用いて三相交流電力を供給する給電方式である。三相４線方式とは、三相交流電圧および中性点電圧が印加される４本の配線を用いて三相交流電力を供給する給電方式である。
【００１２】
換言すると、商用交流電源１は、商用周波数の三相交流電圧ＶＵ，ＶＶ，ＶＷを無停電電源装置Ｕ１〜ＵＮの各々に供給する。無停電電源装置Ｕ１〜ＵＮの各々は、商用交流電源１から三相交流電圧ＶＵ，ＶＶ，ＶＷを受け、商用周波数の三相交流電圧ＶＲ，ＶＳ，ＶＴと中性点電圧ＶＮとを負荷２に出力する。
【００１３】
無停電電源装置Ｕ１〜ＵＮの台数Ｎは、たとえば、１台の無停電電源装置が故障した場合でも、残りの（Ｎ−１）台の無停電電源装置によって負荷２の運転を継続できるように選択されている。バッテリ３は、直流電力を蓄える。バッテリ３の代わりにコンデンサが接続されていても構わない。
【００１４】
商用交流電源１から三相交流電力が正常に供給されている通常時は、無停電電源装置Ｕ１〜ＵＮの各々は、商用交流電源１から三相３線式で供給される三相交流電力を直流電力に変換し、その直流電力をバッテリ３に供給するとともに、三相交流電力に変換して負荷２に供給する。負荷２は、無停電電源装置Ｕ１〜ＵＮから三相４線式で供給される三相交流電力によって駆動される。負荷２の消費電流は、Ｎ台の無停電電源装置Ｕ１〜ＵＮによって均等に分担される。
【００１５】
商用交流電源１からの三相交流電力の供給が停止された停電時は、無停電電源装置Ｕ１〜ＵＮの各々は、バッテリ３の直流電力を三相交流電力に変換して負荷２に供給する。したがって、バッテリ３に直流電力が蓄えられている期間は、負荷２の運転を継続することができる。
【００１６】
図２は、無停電電源装置Ｕ１の構成を示す回路図である。無停電電源装置Ｕ１〜ＵＮは同じ構成である。図２において、無停電電源装置Ｕ１は、入力端子ＴＩａ，ＴＩｂ，ＴＩｃ、出力端子ＴＯａ，ＴＯｂ，ＴＯｃ，ＴＯｄ、およびバッテリ端子ＴＢＰ，ＴＢＮを備える。入力端子ＴＩａ，ＴＩｂ，ＴＩｃは、商用交流電源１からの商用周波数の三相交流電圧ＶＵ，ＶＶ，ＶＷをそれぞれ受ける。無停電電源装置Ｕ１〜ＵＮの入力端子ＴＩａは互いに接続され、それらの入力端子ＴＩｂは互いに接続され、それらの入力端子ＴＩｃは互いに接続されている。
【００１７】
出力端子ＴＯａ，ＴＯｂ，ＴＯｃ，ＴＯｄは、負荷２に対して商用周波数の三相交流電圧ＶＲ，ＶＳ，ＶＴと中性点電圧ＶＮとをそれぞれ出力するために設けられている。無停電電源装置Ｕ１〜ＵＮの出力端子ＴＯａは互いに接続され、それらの出力端子ＴＯｂは互いに接続され、それらの出力端子ＴＯｃは互いに接続され、それらの出力端子ＴＯｄは互いに接続されている。
【００１８】
バッテリ端子ＴＢＰ，ＴＢＮは、バッテリ３の正極および負極にそれぞれ接続される。無停電電源装置Ｕ１〜ＵＮのバッテリ端子ＴＢＰは互いに接続され、それらのバッテリ端子ＴＢＮは互いに接続されている。
【００１９】
無停電電源装置Ｕ１は、さらに、スイッチＳ１〜Ｓ８，入力フィルタ１０、電流検出器ＣＤ１〜ＣＤ６、電力変換器２１〜２３、双方向チョッパ２４、および出力フィルタ３０を備える。スイッチＳ１〜Ｓ３の一方端子はそれぞれ入力端子ＴＩａ，ＴＩｂ，ＴＩｃに接続され、それらの他方端子は入力フィルタ１０に接続される。スイッチＳ１〜Ｓ３は、通常はオンされ、たとえば無停電電源装置Ｕ１のメンテナンス時にオフされる。
【００２０】
入力フィルタ１０は、リアクトル１１〜１３およびコンデンサ１４〜１６を含む。リアクトル１１〜１３の一方端子はスイッチＳ１〜Ｓ３の他方端子にそれぞれ接続され、リアクトル１１〜１３の他方端子は電力変換器２１〜２３の入力端子２１ａ〜２３ａにそれぞれ接続される。コンデンサ１４〜１６の一方端子はリアクトル１１〜１３の一方端子にそれぞれ接続され、コンデンサ１４〜１６の他方端子はともに中性点ＮＰに接続される。
【００２１】
リアクトル１１〜１３およびコンデンサ１４〜１６は、低域通過フィルタを構成する。入力フィルタ１０は、商用交流電源１からの商用周波数の三相交流電力を電力変換器２１〜２３に通過させ、電力変換器２１〜２３で発生するスイッチング周波数の信号が商用交流電源１側に通過することを防止する。
【００２２】
電流検出器ＣＤ１〜ＣＤ３は、商用交流電源１から電力変換器２１〜２３の入力端子２１ａ〜２３ａに流れる電流の瞬時値をそれぞれ検出し、検出値を示す信号を制御装置(図示せず)に出力する。制御装置(図示せず)は、たとえば、交流電圧ＶＵ，ＶＶ，ＶＷの位相と電流検出器ＣＤ１〜ＣＤ３によって検出した電流の位相とが一致するように、すなわち力率が１．０になるように、電力変換器２１〜２３を制御する。
【００２３】
電力変換器２１〜２３は、商用交流電源１から三相交流電力が供給されている通常時は、商用交流電源１から入力端子２１ａ〜２３ａに与えられた三相交流電力を直流電力に変換し、その直流電力を双方向チョッパ２４を介してバッテリ３に供給するとともに、その直流電力を三相交流電力に変換して出力端子２１ｂ〜２３ｂに出力する。
【００２４】
電力変換器２１〜２３は、商用交流電源１からの三相交流電力の供給が停止された停電時は、バッテリ３から双方向チョッパ２４を介して供給される直流電力を三相交流電力に変換して出力端子２１ｂ〜２３ｂに出力する。
【００２５】
換言すると、電力変換器２１〜２３は、通常時は、商用交流電源１から入力端子２１ａ〜２３ａに与えられる三相交流電圧ＶＵ，ＶＶ，ＶＷを直流電圧Ｖ１〜Ｖ３に変換するとともに、それらの直流電圧Ｖ１〜Ｖ３を三相交流電圧Ｖ４ａ〜Ｖ４ｃに変換して出力端子２１ｂ〜２３ｂに出力する。電力変換器２１〜２３は、停電時は、双方向チョッパ２４から与えられる直流電力によって生成される直流電圧Ｖ１〜Ｖ３を三相交流電圧Ｖ４ａ〜Ｖ４ｃに変換して出力端子２１ｂ〜２３ｂに出力する。
【００２６】
双方向チョッパ２４は、５個の端子Ｔ１〜Ｔ５を含む。端子Ｔ１〜Ｔ３は、電力変換器２１〜２３で生成される直流電圧Ｖ１〜Ｖ３をそれぞれ受ける。スイッチＳ７，Ｓ８の一方端子はそれぞれ端子Ｔ４，Ｔ５に接続され、スイッチＳ７，Ｓ８の他方端子はバッテリ端子ＴＢＰ，ＴＢＮにそれぞれ接続される。バッテリ端子ＴＢＰ，ＴＢＮは、バッテリ３の正極および負極にそれぞれ接続される。スイッチＳ７，Ｓ８は、通常はオンされ、たとえば、無停電電源装置Ｕ１またはバッテリ３のメンテナンス時にオフされる。
【００２７】
双方向チョッパ２４は、商用交流電源１から三相交流電力が供給されている通常時は、電力変換器２１〜２３で生成された直流電力をバッテリ３に蓄え、商用交流電源１からの三相交流電力の供給が停止された停電時は、バッテリ３の直流電力を電力変換器２１〜２３に与える。
【００２８】
換言すると、双方向チョッパ２４は、通常時は、電力変換器２１〜２３で生成された直流電圧ＶＤＣ（＝Ｖ１−Ｖ２）を降圧してバッテリ３に与え、バッテリ３を充電する。双方向チョッパ２４は、停電時は、バッテリ３の端子間電圧ＶＢを昇圧して直流電圧ＶＤＣを生成し、その直流電圧ＶＤＣを電力変換器２１〜２３に供給し、バッテリ３を放電させる。
【００２９】
電流検出器ＣＤ４〜ＣＤ６は、それぞれ電力変換器２１〜２３の出力電流の瞬時値を検出する。電流検出器ＣＤ４〜ＣＤ６の検出値は、制御装置(図示せず)に与えられる。制御装置(図示せず)は、他の無停電電源装置Ｕ２〜ＵＮと通信し、電流検出器ＣＤ４〜ＣＤ６の検出値に基づいて、負荷電流が無停電電源装置Ｕ１〜ＵＮによって均等に負担されるように電力変換器２１〜２３を制御する。
【００３０】
出力フィルタ３０は、リアクトル３１〜３３およびコンデンサ３４〜３６を含む。リアクトル３１〜３３の一方端子は電力変換器２１〜２３の出力端子２１ｂ〜２３ｂにそれぞれ接続される。コンデンサ３４〜３６の一方端子はそれぞれリアクトル３１〜３３の他方端子に接続され、コンデンサ３４〜３６の他方端子はともに中性点ＮＰに接続される。中性点ＮＰは、出力端子ＴＯｄに接続されるとともに、配線ＬＮを介して端子Ｔ３に接続されている。したがって、直流電圧Ｖ３は、中性点電圧ＶＮとして出力端子ＴＯｄに出力される。リアクトル３１〜３３およびコンデンサ３４〜３６は、低域通過フィルタを構成する。
【００３１】
出力フィルタ３０は、電力変換器２１〜２３で生成された商用周波数の三相交流電力を負荷２に通過させ、電力変換器２１〜２３で発生するスイッチング周波数の信号が負荷２に通過するのを防止する。換言すると、出力フィルタ３０は、電力変換器２１〜２３で生成される交流電圧Ｖ４ａ〜Ｖ４ｃを正弦波状の三相交流電圧ＶＲ，ＶＳ，ＶＴに変換して負荷２に供給する。
【００３２】
スイッチＳ４〜Ｓ６の一方端子はそれぞれリアクトル３１〜３３の他方端子に接続され、スイッチＳ４〜Ｓ６の他方端子はそれぞれ出力端子ＴＯａ〜ＴＯｃに接続される。スイッチＳ４〜Ｓ６は、通常はオンされ、たとえば、無停電電源装置Ｕ１のメンテナンス時にオフされる。
【００３３】
図３は、電力変換器２１の構成を示す回路ブロック図である。図３において、電力変換器２１は、入力端子２１ａ、コンバータ４０、直流正母線Ｌ１、直流負母線Ｌ２、直流中性点母線Ｌ３、コンデンサＣ１，Ｃ２、ヒューズＦ１〜Ｆ３、インバータ４１、および出力端子２１ｂを含む。電力変換器２１は、制御装置４２によって制御される。
【００３４】
制御装置４２は、入力端子２１ａに与えられる交流電圧ＶＵの瞬時値、母線Ｌ１〜Ｌ３の直流電圧Ｖ１〜Ｖ３の瞬時値、出力端子ＴＯａの電圧ＶＲの瞬時値、電流検出器ＣＤ１，ＣＤ４の検出値などに基づいて、コンバータ４０およびインバータ４１を制御するためのＰＷＭ（pulse  width  modulation）信号φ１〜φ８を生成する。
【００３５】
コンバータ４０は、トランジスタＱ１〜Ｑ４およびダイオードＤ１〜Ｄ４を含む。トランジスタＱ１〜Ｑ４の各々は、たとえばＩＧＢＴ（Insulated  Gate  Bipolar  Transistor）である。トランジスタＱ１のコレクタは直流正母線Ｌ１に接続され、そのエミッタは入力端子２１ａに接続される。ダイオードＤ１のアノードは入力端子２１ａに接続され、そのカソードは直流正母線Ｌ１に接続されている。すなわち、ダイオードＤ１はトランジスタＱ１に逆並列に接続されている。
【００３６】
トランジスタＱ２のコレクタは入力端子２１ａに接続され、そのエミッタは直流負母線Ｌ２に接続される。ダイオードＤ２のアノードは直流負母線Ｌ２に接続され、そのカソードは入力端子２１ａに接続されている。すなわち、ダイオードＤ２はトランジスタＱ２に逆並列に接続されている。
【００３７】
トランジスタＱ３，Ｑ４のコレクタは互いに接続され、トランジスタＱ３，Ｑ４のエミッタはそれぞれ入力端子２１ａおよび直流中性点母線Ｌ３に接続される。ダイオードＤ３，Ｄ４のカソードはともにトランジスタＱ３，Ｑ４のエミッタに接続され、それらのアノードはそれぞれ入力端子２１ａおよび直流中性点母線Ｌ３に接続されている。すなわち、ダイオードＤ３，Ｄ４は、それぞれトランジスタＱ３，Ｑ４に逆並列に接続されている。トランジスタＱ３，Ｑ４およびダイオードＤ３，Ｄ４は、双方向スイッチを構成する。
【００３８】
トランジスタＱ１〜Ｑ４のゲートは、制御装置４２からのＰＷＭ信号φ１〜φ４を受ける。ＰＷＭ信号φ１〜φ４は、交流電圧ＶＵに同期して生成され、交流電圧ＶＵよりも十分に高い周波数を有する。ＰＷＭ信号φ１とφ４は互いに相補な信号であり、ＰＷＭ信号φ２とφ３は互いに相補な信号である。
【００３９】
たとえば、交流電圧ＶＵが正電圧である場合は、ＰＷＭ信号φ１，φ４は交互に「Ｈ」レベルにされるとともに、ＰＷＭ信号φ２，φ３はそれぞれ「Ｌ」レベルおよび「Ｈ」レベルに固定される。したがって、トランジスタＱ１，Ｑ４が交互にオンされるとともに、トランジスタＱ２，Ｑ３はそれぞれオフ状態およびオン状態に固定される。
【００４０】
交流電圧ＶＵが負電圧である場合は、ＰＷＭ信号φ２，φ３は交互に「Ｈ」レベルにされるとともに、ＰＷＭ信号φ１，φ４はそれぞれ「Ｌ」レベルおよび「Ｈ」レベルに固定される。したがって、トランジスタＱ２，Ｑ３が交互にオンされるとともに、トランジスタＱ１，Ｑ４はそれぞれオフ状態およびオン状態に固定される。
【００４１】
ＰＷＭ信号が１周期内において「Ｈ」レベルにされる時間と、ＰＷＭ信号の１周期の時間との比はデューティ比と呼ばれる。制御装置４２は、交流電圧ＶＵに同期してＰＷＭ信号φ１〜φ４のデューティ比を制御し、交流電圧ＶＵを直流電圧Ｖ１〜Ｖ３に変換させる。直流電圧Ｖ１〜Ｖ３は、それぞれ直流正母線Ｌ１、直流負母線Ｌ２、および直流中性点母線Ｌ３に与えられる。Ｖ１＞Ｖ３＞Ｖ２であり、Ｖ３＝（Ｖ１＋Ｖ２）／２である。なお、直流中性点母線Ｌ３を接地すれば、直流電圧Ｖ１〜Ｖ３はそれぞれ正電圧、負電圧、および０Ｖとなる。
【００４２】
制御装置４２は、商用交流電源１から交流電圧ＶＵが供給されている通常時は、コンバータ４０のトランジスタＱ１〜Ｑ４を制御して交流電圧ＶＵを直流電圧Ｖ１〜Ｖ３に変換させ、商用交流電源１からの交流電圧ＶＵの供給が停止された停電時は、トランジスタＱ１〜Ｑ４をオフ状態に固定させてコンバータ４０の運転を停止させる。
【００４３】
ヒューズＦ１〜Ｆ３の一方端子はそれぞれ母線Ｌ１〜Ｌ３に接続される。ヒューズＦ１，Ｆ２の他方端子はそれぞれ双方向チョッパ２４の端子Ｔ１，Ｔ２に接続され、ヒューズＦ３の他方端子は中性点ＮＰに接続される。この比較例では、中性点ＮＰは、出力端子ＴＯｄに接続されるとともに、配線ＬＮを介して双方向チョッパ２４の端子Ｔ３に接続される。
【００４４】
ヒューズＦ１〜Ｆ３は、それぞれ母線Ｌ１および端子Ｔ１間、母線Ｌ２および端子Ｔ２間、母線Ｌ３および中性点ＮＰ間に過電流が流れた場合にブローされ、無停電電源装置Ｕ１を保護する。コンデンサＣ１は、ヒューズＦ１，Ｆ３の他方端子間に接続され、母線Ｌ１，Ｌ３間の直流電圧を平滑化および安定化させる。コンデンサＣ２は、ヒューズＦ３，Ｆ２の他方端子間に接続され、母線Ｌ３，Ｌ２間の直流電圧を平滑化および安定化させる。
【００４５】
インバータ４１は、トランジスタＱ５〜Ｑ８およびダイオードＤ５〜Ｄ８を含む。トランジスタＱ５〜Ｑ８の各々は、たとえばＩＧＢＴである。トランジスタＱ５のコレクタは直流正母線Ｌ１に接続され、そのエミッタは出力端子２１ｂに接続される。ダイオードＤ５のアノードは出力端子２１ｂに接続され、そのカソードは直流正母線Ｌ１に接続されている。
【００４６】
トランジスタＱ６のコレクタは出力端子２１ｂに接続され、そのエミッタは直流負母線Ｌ２に接続される。ダイオードＤ６のアノードは直流負母線Ｌ２に接続され、そのカソードは出力端子２１ｂに接続されている。すなわち、ダイオードＤ５，Ｄ６は、それぞれトランジスタＱ５，Ｑ６に逆並列に接続されている。
【００４７】
トランジスタＱ７，Ｑ８のコレクタは互いに接続され、トランジスタＱ７，Ｑ８のエミッタはそれぞれ直流中性点母線Ｌ３および出力端子２１ｂに接続される。ダイオードＤ７，Ｄ８のカソードはともにトランジスタＱ７，Ｑ８のコレクタに接続され、それらのアノードはそれぞれ直流中性点母線Ｌ３および出力端子Ｔ１４に接続されている。すなわち、ダイオードＤ７，Ｄ８は、それぞれトランジスタＱ７，Ｑ８に逆並列に接続されている。トランジスタＱ７，Ｑ８およびダイオードＤ７，Ｄ８は、双方向スイッチを構成する。
【００４８】
次に、このインバータ４１の動作について説明する。トランジスタＱ５〜Ｑ８のゲートは、制御装置４２からのＰＷＭ信号φ５〜φ８を受ける。図４（ａ）〜（ｅ）はＰＷＭ信号φ５〜φ８の作成方法および波形を示す図である。特に、図４（ａ）は正弦波指令値信号ＣＭ、正側三角波キャリア信号ＣＡ１、および負側三角波キャリア信号ＣＡ２の波形を示し、図４（ｂ）〜（ｅ）はそれぞれＰＷＭ信号φ５，φ８，φ７，φ６の波形を示している。
【００４９】
図４（ａ）〜（ｅ）において、正弦波指令値信号ＣＭの周波数は、たとえば商用周波数である。正弦波指令値信号ＣＭは、交流電圧ＶＵに同期している。キャリア信号ＣＡ１，ＣＡ２の周期および位相は同じである。キャリア信号ＣＡ１，ＣＡ２の周期は、正弦波指令値信号ＣＭの周期よりも十分に小さい。
【００５０】
正弦波指令値信号ＣＭのレベルと正側三角波キャリア信号ＣＡ１のレベルの高低が比較される。正弦波指令値信号ＣＭのレベルが正側三角波キャリア信号ＣＡ１のレベルよりも高い場合は、ＰＷＭ信号φ５，φ７がそれぞれ「Ｈ」レベルおよび「Ｌ」レベルにされる。正弦波指令値信号ＣＭのレベルが正側三角波キャリア信号ＣＡ１のレベルよりも低い場合は、ＰＷＭ信号φ５，φ７がそれぞれ「Ｌ」レベルおよび「Ｈ」レベルにされる。
【００５１】
したがって、正弦波指令値信号ＣＭのレベルが正である期間では、ＰＷＭ信号φ５とφ７がキャリア信号ＣＡ１に同期して交互に「Ｈ」レベルにされ、トランジスタＱ５とＱ７が交互にオンされる。また、正弦波指令値信号ＣＭのレベルが負である期間では、ＰＷＭ信号φ５，φ７はそれぞれ「Ｌ」レベルおよび「Ｈ」レベルに固定され、トランジスタＱ５がオフ状態に固定されるとともにトランジスタＱ７がオン状態に固定される。
【００５２】
正弦波指令値信号ＣＭのレベルと負側三角波キャリア信号ＣＡ２のレベルの高低が比較される。正弦波指令値信号ＣＭのレベルが負側三角波キャリア信号ＣＡ２のレベルよりも高い場合は、ＰＷＭ信号φ６，φ８がそれぞれ「Ｌ」レベルおよび「Ｈ」レベルにされる。正弦波指令値信号ＣＭのレベルが負側三角波キャリア信号ＣＡ２のレベルよりも低い場合は、ＰＷＭ信号φ６，φ８がそれぞれ「Ｈ」レベルおよび「Ｌ」レベルにされる。
【００５３】
したがって、正弦波指令値信号ＣＭのレベルが正である期間では、ＰＷＭ信号φ６，φ８はそれぞれ「Ｌ」レベルおよび「Ｈ」レベルに固定され、トランジスタＱ６がオフ状態に固定されるとともにトランジスタＱ８がオン状態に固定される。また、正弦波指令値信号ＣＭのレベルが負である期間では、ＰＷＭ信号φ６とφ８がキャリア信号ＣＡ２に同期して交互に「Ｈ」レベルにされ、トランジスタＱ６とＱ８が交互にオンされる。
【００５４】
ＰＷＭ信号が１周期内において「Ｈ」レベルにされる時間と、ＰＷＭ信号の１周期の時間との比はデューティ比と呼ばれる。ＰＷＭ信号φ５のデューティ比は、正弦波指令値信号ＣＭのレベルが正である期間では、正弦波指令値信号ＣＭの正のピーク（９０度）付近で最大になり、ピークから外れるに従って減少し、０度付近と１８０度付近で０となる。ＰＷＭ信号φ５のデューティ比は、正弦波指令値信号ＣＭのレベルが負である期間では０に固定される。ＰＷＭ信号φ７は、ＰＷＭ信号φ５の相補信号である。
【００５５】
ＰＷＭ信号φ６のデューティ比は、正弦波指令値信号ＣＭのレベルが正である期間では０に固定される。ＰＷＭ信号φ６のデューティ比は、正弦波指令値信号ＣＭの負のピーク（２７０度）付近で最大になり、ピークから外れるに従って減少し、１８０度付近と３６０度付近で０となる。ＰＷＭ信号φ８は、ＰＷＭ信号φ６の相補信号である。
【００５６】
たとえば、交流電圧ＶＵが正電圧である場合は、ＰＷＭ信号φ５，φ７は交互に「Ｈ」レベルにされるとともに、ＰＷＭ信号φ６，φ８はそれぞれ「Ｌ」レベルおよび「Ｈ」レベルに固定される。したがって、トランジスタＱ５，Ｑ７が交互にオンされるとともに、トランジスタＱ６，Ｑ８はそれぞれオフ状態およびオン状態に固定される。
【００５７】
交流電圧ＶＵが負電圧である場合は、ＰＷＭ信号φ６，φ８は交互に「Ｈ」レベルにされるとともに、ＰＷＭ信号φ５，φ７はそれぞれ「Ｌ」レベルおよび「Ｈ」レベルに固定される。したがって、トランジスタＱ６，Ｑ８が交互にオンされるとともに、トランジスタＱ５，Ｑ７はそれぞれオフ状態およびオン状態に固定される。制御装置４２は、交流電圧ＶＵに同期してＰＷＭ信号φ５〜φ８のデューティ比を制御し、直流電圧Ｖ１〜Ｖ３を３レベルの交流電圧Ｖ４ａに変換させる。
【００５８】
電力変換器２２，２３の構成は、電力変換器２１の構成と同じである。ただし、電力変換器２２は、交流電圧ＶＶに同期して制御され、交流電圧ＶＶに同期した交流電圧Ｖ４ｂを出力端子２２ｂに出力する。電力変換器２３は、交流電圧ＶＷに同期して制御され、交流電圧ＶＷに同期した交流電圧Ｖ４ｃを出力端子２２ｃに出力する。
【００５９】
入力フィルタ１０と電力変換器２１〜２３のコンバータ４０とは、商用交流電源１から供給される三相交流電圧ＶＵ，ＶＶ，ＶＷを直流電圧Ｖ１〜Ｖ３に変換する三相コンバータを構成する。電力変換器２１〜２３のインバータ４１と出力フィルタ３０とは、直流電圧Ｖ１〜Ｖ３を三相交流電圧ＶＲ，ＶＳ，ＶＴに変換して負荷２に供給する三相インバータを構成する。
【００６０】
図５は、双方向チョッパ２４の構成を示す回路ブロック図である。図５において、双方向チョッパ２４は、端子Ｔ１〜Ｔ５、コンデンサＣ１１，Ｃ１２、トランジスタＱ１１〜Ｑ１４、ダイオードＤ１１〜Ｄ１４、ノーマルモードリアクトル５０、およびヒューズＦ１１，Ｆ１２を含む。ノーマルモードリアクトル５０は、２つのコイル５１，５２を含む。
【００６１】
双方向チョッパ２４は、制御装置５３によって制御される。制御装置５３は、端子Ｔ１，Ｔ２間（すなわち母線Ｌ１，Ｌ２間）の直流電圧ＶＤＣ（＝Ｖ１−Ｖ２）の瞬時値、バッテリ３の端子間電圧ＶＢなどに基づいて、トランジスタＱ１１〜Ｑ１４を制御するためのＰＷＭ信号φ１１〜φ１４を生成する。
【００６２】
端子Ｔ１，Ｔ２は、電力変換器２１〜２３の各々の直流正母線Ｌ１および直流負母線Ｌ２にそれぞれ接続される。端子Ｔ３は、配線ＬＮを介して中性点ＮＰに接続される。中性点ＮＰは、電力変換器２１〜２３の各々の直流中性点母線Ｌ３に接続されるとともに、出力端子ＴＯｄに接続される。端子Ｔ４は、スイッチＳ７およびバッテリ端子ＴＢＰを介してバッテリ３の正極に接続される。端子Ｔ５は、スイッチＳ８およびバッテリ端子ＴＢＮを介してバッテリ３の負極に接続される。
【００６３】
コンデンサＣ１１は、端子Ｔ１，Ｔ３間に接続され、端子Ｔ１，Ｔ３間の電圧を平滑化および安定化させる。コンデンサＣ１２は、端子Ｔ３，Ｔ２間に接続され、端子Ｔ３，Ｔ２間の電圧を平滑化および安定化させる。コンデンサＣ１１，Ｃ１２は、電力変換器２１〜２３のコンデンサＣ１，Ｃ２とそれぞれ同じ電圧に充電される。
【００６４】
トランジスタＱ１１〜Ｑ１４の各々は、たとえばＩＧＢＴである。トランジスタＱ１１，Ｑ１２は端子Ｔ１，Ｔ３間に直列接続され、トランジスタＱ１３，Ｑ１４は端子Ｔ３，Ｔ２間に直列接続される。ダイオードＤ１１〜Ｄ１４は、それぞれトランジスタＱ１１〜Ｑ１４に逆並列に接続される。
【００６５】
コイル５１の一方端子はトランジスタＱ１１，Ｑ１２間のノードＮ１に接続され、その他方端子はヒューズＦ１１を介して端子Ｔ４に接続される。コイル５２の一方端子はヒューズＦ１２を介して端子Ｔ５に接続され、その他方端子はトランジスタＱ１３，Ｑ１４間のノードＮ２に接続される。ヒューズＦ１１，Ｆ１２は、過電流が流れた場合にブローされ、バッテリ３、双方向チョッパ２４などを保護する。
【００６６】
商用交流電源１から三相交流電力が供給されている通常時は、コンデンサＣ１，Ｃ２から双方向チョッパ２４を介してバッテリ３に直流電力が供給され、バッテリ３が充電される。この場合、トランジスタＱ１２，Ｑ１３はオフ状態に固定され、トランジスタＱ１１，Ｑ１４が交互にオンにされる。
【００６７】
その際、バッテリ３の端子間電圧ＶＢが所定の目標電圧ＶＢＴになるように、ＰＷＭ信号φ１１，φ１４のデューティ比が制御される。ＰＷＭ信号φ１１，φ１４のデューティ比を大きくするとコンデンサＣ１１，Ｃ１２からバッテリ３に流れる電流が増大し、ＰＷＭ信号φ１１，φ１４のデューティ比を小さくするとコンデンサＣ１１，Ｃ１２からバッテリ３に流れる電流が減少する。
【００６８】
すなわち、第１バッテリ充電モードでは、ＰＷＭ信号φ１２〜φ１４が「Ｌ」レベルにされてトランジスタＱ１２〜Ｑ１４がオフされるとともに、ＰＷＭ信号φ１１が「Ｈ」レベルにされてトランジスタＱ１１がオンされる。これにより、端子Ｔ１からトランジスタＱ１１、コイル５１、ヒューズＦ１１、スイッチＳ７、バッテリ３、スイッチＳ８、ヒューズＦ１２、コイル５２、およびダイオードＤ１３を介して端子Ｔ３に電流が流れ、コンデンサＣ１，Ｃ１１が放電されてバッテリ３が充電される。
【００６９】
また、第２バッテリ充電モードでは、ＰＷＭ信号φ１２，φ１３が「Ｌ」レベルにされてトランジスタＱ１２，Ｑ１３がオフするとともに、ＰＷＭ信号φ１１，φ１４が「Ｈ」レベルにされてトランジスタＱ１１，Ｑ１４がオンする。これにより、端子Ｔ１からトランジスタＱ１１、コイル５１、ヒューズＦ１１、スイッチＳ７、バッテリ３、スイッチＳ８、ヒューズＦ１２、コイル５２、およびトランジスタＱ１４を介して端子Ｔ２に電流が流れ、コンデンサＣ１，Ｃ２，Ｃ１１，Ｃ１２が放電されてバッテリ３が充電される。
【００７０】
第３バッテリ充電モードでは、ＰＷＭ信号φ１１〜φ１３が「Ｌ」レベルにされてトランジスタＱ１１〜Ｑ１３がオフするとともに、ＰＷＭ信号φ１４が「Ｈ」レベルにされてトランジスタＱ１４がオンする。これにより、端子Ｔ３からダイオードＤ１２、コイル５１、ヒューズＦ１１、スイッチＳ７、バッテリ３、スイッチＳ８、ヒューズＦ１２、コイル５２、およびトランジスタＱ１４を介して端子Ｔ２に電流が流れ、コンデンサＣ２，Ｃ１２が放電されてバッテリ３が充電される。
【００７１】
第１バッテリ充電モードと第３バッテリ充電モードは、交互に行なわれる。第１バッテリ充電モードと第３バッテリ充電モードの間の期間では、ＰＷＭ信号φ１１〜φ１４が「Ｌ」レベルにされてトランジスタＱ１１〜Ｑ１４がオフされ、コイル５１，５２に蓄えられた電磁エネルギーが放出されて、ダイオードＤ１２、コイル５１、ヒューズＦ１１、スイッチＳ７、バッテリ３、スイッチＳ８、ヒューズＦ１２、コイル５２、およびダイオードＤ１３の経路に電流が流れ、バッテリ３が充電される。第２バッテリ充電モードは、第１バッテリ充電モードと第３バッテリ充電モードが重なっているモードである。
【００７２】
商用交流電源１からの三相交流電力の供給が停止されている場合、バッテリ３から双方向チョッパ２４を介してコンデンサＣ１，Ｃ２，Ｃ１１，Ｃ１２に直流電力が供給され、バッテリ３が放電されてコンデンサＣ１，Ｃ２，Ｃ１１，Ｃ１２が充電される。この場合、トランジスタＱ１１，Ｑ１４はオフ状態に固定され、トランジスタＱ１２，Ｑ１３が交互にオンにされる。
【００７３】
その際、端子Ｔ１，Ｔ２間の直流電圧ＶＤＣ（＝Ｖ１−Ｖ２）が所定の目標電圧ＶＤＣＴになるように、ＰＷＭ信号φ１２，φ１３のデューティ比が制御される。ＰＷＭ信号φ１２，φ１３のデューティ比を大きくするとバッテリ３からコンデンサＣ１１，Ｃ１２に流れる電流が増大し、ＰＷＭ信号φ１２，φ１３のデューティ比を小さくするとバッテリ３からコンデンサＣ１１，Ｃ１２に流れる電流が減少する。
【００７４】
すなわち、第１バッテリ放電モードでは、ＰＷＭ信号φ１１，φ１３，φ１４が「Ｌ」レベルにされてトランジスタＱ１１，Ｑ１３，Ｑ１４がオフされるとともに、ＰＷＭ信号φ１２が「Ｈ」レベルにされてトランジスタＱ１２がオンされる。これにより、バッテリ３の正極からスイッチＳ７、ヒューズＦ１１、コイル５１、トランジスタＱ１２、コンデンサＣ２，Ｃ１２、ダイオードＤ１４、コイル５２、ヒューズＦ１２、およびスイッチＳ８を介してバッテリ３の負極に電流が流れ、バッテリ３が放電されてコンデンサＣ２，Ｃ１２が充電される。
【００７５】
第２バッテリ放電モードでは、ＰＷＭ信号φ１１〜φ１４が「Ｌ」レベルにされてトランジスタＱ１１〜Ｑ１４がオフされる。これにより、バッテリ３の正極からスイッチＳ７、ヒューズＦ１１、コイル５１、ダイオードＤ１１、コンデンサＣ１，Ｃ２，Ｃ１１，Ｃ１２、ダイオードＤ１４、コイル５２、ヒューズＦ１２、およびスイッチＳ８を介してバッテリ３の負極に電流が流れ、コイル５１，５２に蓄えられた電磁エネルギーが放出されるとともにバッテリ３が放電されてコンデンサＣ１，Ｃ２，Ｃ１１，Ｃ１２が充電される。
【００７６】
第３バッテリ放電モードでは、ＰＷＭ信号φ１１，φ１２，φ１４が「Ｌ」レベルにされてトランジスタＱ１１，Ｑ１２，Ｑ１４がオフされるとともに、ＰＷＭ信号φ１３が「Ｈ」レベルにされてトランジスタＱ１３がオンされる。これにより、バッテリ３の正電極からスイッチＳ７、ヒューズＦ１１、コイル５１、ダイオードＤ１１、コンデンサＣ１，Ｃ１１、トランジスタＱ１３、コイル５２、ヒューズＦ１２、およびスイッチＳ８を介してバッテリ３の負電極に電流が流れ、バッテリ３が放電されてコンデンサＣ１，Ｃ１１が充電される。
【００７７】
第１バッテリ放電モードと第３バッテリ放電モードは、交互に行なわれる。第１バッテリ放電モードと第３バッテリ放電モードの間の期間において、端子Ｔ１，Ｔ２間の電圧Ｖ１−Ｖ２がバッテリ３の端子間電圧ＶＢよりも低下している場合は、第２バッテリ放電モードが行なわれる。
【００７８】
次に、図１〜図５で示した無停電電源装置Ｕ１の動作について説明する。商用交流電源１から三相交流電力が正常に供給されている通常時は、商用交流電源１からの三相交流電圧ＶＵ，ＶＶ，ＶＷがスイッチＳ１〜Ｓ３および入力フィルタ１０を介して電力変換器２１〜２３に供給される。三相交流電圧ＶＵ，ＶＶ，ＶＷは、電力変換器２１〜２３のコンバータ４０によって直流電圧Ｖ１〜Ｖ３に変換される。
【００７９】
電力変換器２１〜２３の各々において、コンバータ４０で生成された直流電力は、双方向チョッパ２４およびスイッチＳ７，Ｓ８を介してバッテリ３に蓄えられるとともにインバータ４１に供給され、インバータ４１によって商用周波数の交流電力に変換される。電力変換器２１〜２３のインバータ４１で生成された三相交流電圧Ｖ４ａ〜Ｖ４ｃは、出力フィルタ３０によって正弦波状の三相交流電圧ＶＲ，ＶＳ，ＶＴに変換され、スイッチＳ４〜Ｓ６を介して負荷２に供給される。さらに、電力変換器２１〜２３で生成された直流電圧Ｖ３は、中性点電圧ＶＮとして負荷２に供給される。負荷２は、三相交流電圧ＶＵ，ＶＶ，ＶＷおよび中性点電圧ＶＮ、すなわち三相４線式で供給された交流電力によって駆動される。
【００８０】
商用交流電源１からの三相交流電力の供給が停止された停電時は、電力変換器２１〜２３のコンバータ４０の運転が停止されるとともに、バッテリ３の直流電力がスイッチＳ７，Ｓ８および双方向チョッパ２４を介して電力変換器２１〜２３のインバータ４１に供給され、電力変換器２１〜２３のインバータ４１によって商用周波数の三相交流電力に変換される。
【００８１】
電力変換器２１〜２３のインバータ４１で生成された三相交流電圧Ｖ４ａ〜Ｖ４ｃは、出力フィルタ３０によって正弦波状の三相交流電圧ＶＲ，ＶＳ，ＶＴに変換され、スイッチＳ４〜Ｓ６を介して負荷２に供給される。さらに、電力変換器２１〜２３の直流中性点母線Ｌ３の直流電圧Ｖ３は、中性点電圧ＶＮとして負荷２に供給される。負荷２は、三相交流電圧ＶＲ，ＶＳ，ＶＴおよび中性点電圧ＶＮ、すなわち三相４線式で供給された交流電力によって駆動される。
【００８２】
したがって、停電が発生した場合でも、バッテリ３に直流電力が蓄えられている限りは負荷２の運転が継続される。商用交流電源１からの交流電力の供給が再開された場合は、電力変換器２１〜２３のコンバータ４０の運転が再開される。電力変換器２１〜２３の各々において、コンバータ４０で生成された直流電力が双方向チョッパ２４およびスイッチＳ７，Ｓ８を介してバッテリ３に供給されるとともにインバータ４１に供給され、元の状態に戻る。他の無停電電源装置Ｕ２〜ＵＮの各々の構成および動作は、無停電電源装置Ｕ１と同じであるので、その説明は繰り返さない。
【００８３】
ここで、比較例の無停電電源システムの問題点について説明する。たとえば無停電電源装置Ｕ１の双方向チョッパ２４のトランジスタＱ１２が故障して短絡状態になったものとする。この場合、バッテリ３の正極からスイッチＳ７、ヒューズＦ１１、コイル５１、トランジスタＱ１２、配線ＬＮ、中性点ＮＰ、および出力端子ＴＯｄを介して負荷２および他の無停電電源装置Ｕ２〜ＵＮの各々に電流が流れてしまう。
【００８４】
たとえば、無停電電源装置Ｕ２の出力端子ＴＯｄに流入した電流は、中性点ＮＰ、配線ＬＮ、双方向チョッパ２４のコンデンサＣ１２、ダイオードＤ１４、コイル５２、ヒューズＦ１２、およびスイッチＳ８を介してバッテリ３の負極に流れる。したがって、バッテリ３の直流電力が放電され、負荷２および他の無停電電源装置Ｕ２〜ＵＮが故障する恐れがある。本願発明では、この問題の解決が図られる。
【００８５】
[実施の形態]
図６は、この発明の一実施の形態による無停電電源システムに含まれる無停電電源装置６０の構成を示す回路図であって、図２と対比される図である。本実施の形態の無停電電源システムは、図１に示した無停電電源装置Ｕ１〜ＵＮの各々を無停電電源装置６０で置換したものである。
【００８６】
比較例の無停電電源装置Ｕ１では中性点ＮＰと双方向チョッパ２４の端子Ｔ３との間は配線ＬＮによって接続されているが（図２参照）、本実施の形態の無停電電源装置６０では中性点ＮＰと双方向チョッパ２４の端子Ｔ３との間を接続する配線はない（図６参照）。したがって、双方向チョッパ２４のトランジスタＱ１２が故障して短絡状態になった場合でも、バッテリ３から故障したトランジスタＱ１２を介して負荷２および他の無停電電源装置６０に電流が流れることはない。
【００８７】
ただし、単に双方向チョッパ２４の端子Ｔ３と中性点ＮＰとの間の配線ＬＮを除去しただけでは、バッテリ３の直流電力を放電するときにコンデンサＣ１１，Ｃ１２が均等に充電されず、一方のコンデンサＣ１１またはＣ１２の端子間電圧が過大になり、コンデンサＣ１１またはＣ１２が破損する恐れがある。そこで、本実施の形態では、放電時にはコンデンサＣ１１の端子間電圧Ｖ１１とコンデンサＣ１２の端子間電圧Ｖ１２とが一致するように、トランジスタＱ１２，Ｑ１３のオン時間を制御する。
【００８８】
図７は、双方向チョッパ２４およびその制御に関連する部分を示す回路ブロック図であって、図５と対比される図である。図７において、双方向チョッパ２４を制御するために制御装置６３と電圧検出器６１，６２が設けられる。電圧検出器６１は、コンデンサＣ１１の端子間電圧Ｖ１１の瞬時値を検出し、その検出値を示す信号を制御装置６３に与える。電圧検出器６２は、コンデンサＣ１２の端子間電圧Ｖ１２の瞬時値を検出し、その検出値を示す信号を制御装置６３に与える。
【００８９】
制御装置６３は、比較例の制御装置５３と同様に、バッテリ３に直流電力を充電する充電モード時にはＰＷＭ信号φ１１，φ１４を交互に「Ｈ」レベルにしてトランジスタＱ１１，Ｑ１４を交互にオンさせ、バッテリ３の直流電力を放電させる放電モード時にはＰＷＭ信号φ１２，φ１３を交互に「Ｈ」レベルにしてトランジスタＱ１２，１３を交互にオンさせる。
【００９０】
ただし、制御装置６３は、次の点で比較例の制御装置５３と異なる。すなわち、比較例の制御装置５３は、放電モード時に、端子Ｔ１，Ｔ２間の直流電圧ＶＤＣが目標電圧ＶＤＣＴになるようにＰＷＭ信号φ１２，φ１３のデューティ比を制御する。比較例では、ＰＷＭ信号φ１２，φ１３のデューティ比は同じ値になる。
【００９１】
これに対して本実施の形態の制御装置６３は、放電モード時に、端子Ｔ１，Ｔ２間の直流電圧ＶＤＣが目標電圧ＶＤＣＴになり、かつコンデンサＣ１１の端子間電圧Ｖ１１とコンデンサＣ１２の端子間電圧Ｖ１２とが一致するようにＰＷＭ信号φ１２，φ１３のデューティ比を制御する。本実施の形態では、Ｖ１１＝Ｖ１２である場合はＰＷＭ信号φ１２，φ１３のデューティ比は同じ値になるが、Ｖ１１≠Ｖ１２である場合はＰＷＭ信号φ１２，φ１３のデューティ比は同じ値にならない。
【００９２】
図８は、制御装置６３のうちのバッテリ３の放電に関連する部分の構成を示すブロック図である。図８において、制御装置６３は、減算器７０，７１，７５、制御器（ＰＩ）７２，７３、加算器７４、三角波発生器７６，７７、および比較器７８，７９を含む。
【００９３】
減算器７０は、端子Ｔ１，Ｔ２間の直流電圧ＶＤＣの目標値ＶＤＣＴから直流電圧ＶＤＣ＝Ｖ１１＋Ｖ１２の検出値を減算して電流指令値ＩＣ１を生成する。制御器７２は、電流指令値ＩＣ１にたとえばＰＩ制御（比例および積分制御）を施して電圧指令値ＶＣ１を生成する。
【００９４】
減算器７１は、コンデンサＣ１１の端子間電圧Ｖ１１の検出値からコンデンサＣ１２の端子間電圧Ｖ１２の検出値を減算して電流指令値ＩＣ２を生成する。制御器７３は、電流指令値ＩＣ２にたとえばＰＩ制御（比例および積分制御）を施して電圧指令値ＶＣ２を生成する。
【００９５】
加算器７４は、電圧指令値ＶＣ１と電圧指令値ＶＣ２を加算して電圧指令値ＶＣ１１を生成する。減算器７５は、電圧指令値ＶＣ１から電圧指令値ＶＣ２を減算して電圧指令値ＶＣ１２を生成する。
【００９６】
三角波発生器７６は、商用周波数よりも十分に高い周波数の三角波信号ＣＡ１１を生成する。三角波発生器７７は、三角波信号ＣＡ１１と同じ周波数の三角波信号ＣＡ１２を生成する。三角波信号ＣＡ１１，ＣＡ１２の位相は互いに１８０度ずれている。
【００９７】
比較器７８は、電圧指令値ＶＣ１１と三角波信号ＣＡ１１のレベルとの高低を比較し、ＶＣ１１＞ＣＡ１１である場合はＰＷＭ信号φ１２を「Ｈ」レベルにし、ＶＣ１１＜ＣＡ１１である場合はＰＷＭ信号φ１２を「Ｌ」レベルにする。
【００９８】
比較器７９は、電圧指令値ＶＣ１２と三角波信号ＣＡ１２のレベルとの高低を比較し、ＶＣ１２＞ＣＡ１２である場合はＰＷＭ信号φ１３を「Ｈ」レベルにし、ＶＣ１２＜ＣＡ１２である場合はＰＷＭ信号φ１３を「Ｌ」レベルにする。
【００９９】
したがって、コンデンサＣ１１，Ｃ１２が均等に充電されてＶ１１＝Ｖ１２である場合は、ＩＣ２＝０，ＶＣ２＝０、ＶＣ１＝ＶＣ１１＝ＶＣ１２となり、ＰＷＭ信号φ１２，φ１３のデューティ比は同じ値になる。この場合、トランジスタＱ１２の１周期当たりのオン時間とトランジスタＱ１３の１周期当たりのオン時間とは同じ時間となる。
【０１００】
コンデンサＣ１１，Ｃ１２が均等に充電されずにＶ１１＞Ｖ１２となった場合は、ＶＣ２＞０，ＶＣ１１＞ＶＣ１２となり、ＰＷＭ信号φ１２のデューティ比はＰＷＭ信号φ１３のデューティ比よりも大きくなる。したがって、トランジスタＱ１２の１周期当たりのオン時間がトランジスタＱ１３の１周期当たりのオン時間よりも長くなり、Ｖ１１が減少するとともにＶ１２が増大するようにトランジスタＱ１２，Ｑ１３が制御され、Ｖ１１とＶ１２の差が低減される。
【０１０１】
コンデンサＣ１１，Ｃ１２が均等に充電されずにＶ１１＜Ｖ１２となった場合は、ＶＣ２＜０，ＶＣ１１＜ＶＣ１２となり、ＰＷＭ信号φ１２のデューティ比はＰＷＭ信号φ１３のデューティ比よりも小さくなる。したがって、トランジスタＱ１２の１周期当たりのオン時間がトランジスタＱ１３の１周期当たりのオン時間よりも短くなり、Ｖ１１が増大するとともにＶ１２が減少するようにトランジスタＱ１２，Ｑ１３が制御され、Ｖ１１とＶ１２の差が低減される。
【０１０２】
Ｖ１１＝Ｖ１２となり、かつ直流電圧ＶＤＣ＝Ｖ１１＋Ｖ１２の検出値が目標電圧ＶＤＣＴに到達した場合はＶＣ１＝０，ＶＣ２＝０，ＶＣ１１＝０，ＶＣ１２＝０となり、ＰＷＭ信号φ１２，φ１３のデューティ比が０となり、バッテリ３の放電は停止される。
【０１０３】
図９は、図７および図８に示した制御装置６３の放電モード時の動作を示すフローチャートである。図９において、制御装置６３は、ステップＳＴ１において電圧検出器６１，６２を用いてコンデンサＣ１１，Ｃ１２の端子間電圧Ｖ１１，Ｖ１２を検出する。次に制御装置６３は、ステップＳＴ２において目標電圧ＶＤＣＴと直流電圧ＶＤＣ＝Ｖ１１＋Ｖ１２の検出値の差の絶対値｜ＶＤＣＴ−ＶＤＣ｜がしきい値Ｖαよりも大きいか否かを判別し、｜ＶＤＣＴ−ＶＤＣ｜＞Ｖαでない場合（すなわちＶＤＣ≒ＶＤＣＴである場合）はステップＳＴ１に戻り、｜ＶＤＣＴ−ＶＤＣ｜＞Ｖαである場合（すなわちＶＤＣ≠ＶＤＣＴである場合）はステップＳＴ３に進む。Ｖαは、ＶＤＣＴ，ＶＤＣと比べて十分に小さな値に設定される。
【０１０４】
制御装置６３は、ステップＳＴ３においてＶＤＣ＜ＶＤＣＴであるか否かを判別し、ＶＤＣ＜ＶＤＣＴである場合はステップＳＴ４に進み、ＶＤＣ＜ＶＤＣＴでない場合はステップＳＴ５に進む。ステップＳＴ４では、制御装置６３はＰＷＭ信号φ１２，φ１３のデューティ比Ｄ（φ１２），Ｄ（φ１３）を増大させる。これにより、トランジスタＱ１２，Ｑ１３の１周期当たりのオン時間が増大され、直流電圧ＶＤＣが上昇して目標電圧ＶＤＣＴに近付く。ステップＳＴ５では、制御装置６３は、ＰＷＭ信号φ１２，φ１３のデューティ比Ｄ（φ１２），Ｄ（φ１３）を減少させる。これにより、トランジスタＱ１２，Ｑ１３の１周期当たりのオン時間が減少され、直流電圧ＶＤＣが下降して目標電圧ＶＤＣＴに近付く。
【０１０５】
次に制御装置６３は、ステップＳＴ６において電圧Ｖ１１，Ｖ１２の検出値の差の絶対値｜Ｖ１１−Ｖ１２｜がしきい値Ｖβよりも大きいか否かを判別し、｜Ｖ１１−Ｖ１２｜＞Ｖβでない場合（すなわちＶ１１≒Ｖ１２である場合）はステップＳＴ１に戻り、｜Ｖ１１−Ｖ１２｜＞Ｖβである場合（すなわちＶ１１≠Ｖ１２である場合）はステップＳＴ７に進む。Ｖβは、Ｖ１１，Ｖ１２と比べて十分に小さな値に設定される。
【０１０６】
制御装置６３は、ステップＳＴ７においてＶ１１＜Ｖ１２であるか否かを判別し、Ｖ１１＜Ｖ１２である場合はステップＳＴ８に進み、Ｖ１１＜Ｖ１２でない場合はステップＳＴ９に進む。ステップＳＴ８では制御装置６３は、ＰＷＭ信号φ１２のデューティ比Ｄ（φ１２）を減少させるとともにＰＷＭ信号φ１３のデューティ比Ｄ（φ１３）を増大させ、ステップＳＴ１に戻る。これにより、トランジスタＱ１２の１周期当たりのオン時間が減少するとともにトランジスタＱ１３の１周期当たりのオン時間が増大し、電圧Ｖ１１が増大するとともに電圧Ｖ１２が減少し、電圧Ｖ１１とＶ１２の差が低減される。
【０１０７】
ステップＳＴ９では制御装置６３は、ＰＷＭ信号φ１２のデューティ比Ｄ（φ１２）を増大させるとともにＰＷＭ信号φ１３のデューティ比Ｄ（φ１３）を減少させ、ステップＳＴ１に戻る。これにより、トランジスタＱ１２の１周期当たりのオン時間が増大するとともにトランジスタＱ１３の１周期当たりのオン時間が減少し、電圧Ｖ１１が減少するとともに電圧Ｖ１２が増大し、電圧Ｖ１１とＶ１２の差が低減される。ステップＳＴ１〜ＳＴ５を繰り返すことにより、ＶＤＣ≒ＶＤＣＴ，Ｖ１１≒Ｖ１２とすることができる。
【０１０８】
なお、ステップＳＴ４，ＳＴ５においては、ＰＷＭ信号φ１２，φ１３のデューティ比Ｄ（φ１２），Ｄ（φ１３）を一定値だけ増大または減少させてもよいし、ＰＷＭ信号φ１２，φ１３のデューティ比Ｄ（φ１２），Ｄ（φ１３）を増大または減少させる値をＶＤＣＴとＶＤＣの差に応じて変更しても構わない。
【０１０９】
同様に、ステップＳＴ８，ＳＴ９においては、ＰＷＭ信号φ１２，φ１３のデューティ比Ｄ（φ１２），Ｄ（φ１３）を一定値だけ増大または減少させてもよいし、ＰＷＭ信号φ１２，φ１３のデューティ比Ｄ（φ１２），Ｄ（φ１３）を増大または減少させる値をＶ１１とＶ１２の差に応じて変更しても構わない。
【０１１０】
この実施の形態では、各無停電電源装置６０において中性点ＮＰと双方向チョッパ２４の端子Ｔ３との間を接続する配線ＬＮはないので、双方向チョッパ２４のトランジスタＱ１２が故障して短絡状態になった場合でも、バッテリ３から故障したトランジスタＱ１２を介して負荷２および他の無停電電源装置６０に電流が流れることはない。したがって、双方向チョッパ２４のトランジスタＱ１２が故障して短絡状態になった場合でも、バッテリ３の電流によって負荷２および他の無停電電源装置６０が故障することがない。
【０１１１】
さらに、停電時にバッテリ３の直流電力を放電する場合には、コンデンサＣ１１の端子間電圧Ｖ１１とコンデンサＣ１２の端子間電圧Ｖ１２とが一致するように、トランジスタＱ１２，Ｑ１３の各々のオン時間を制御する。したがって、コンデンサＣ１１，Ｃ１２を均等に充電することができ、一方のコンデンサＣ１１またはＣ１２の端子間電圧Ｖ１１またはＶ１２が過大になり、コンデンサＣ１１またはＣ１２が破損することを防止することができる。
【０１１２】
なお、この実施の形態では、Ｖ１１≠Ｖ１２である場合にＶ１１＝Ｖ１２になるように双方向チョッパ２４のトランジスタＱ１２，Ｑ１３のうちの一方のトランジスタのオン時間を増大させるとともに他方のトランジスタのオン時間を減少させたが、これに限るものではなく、Ｖ１１＝Ｖ１２になるようにトランジスタＱ１２，Ｑ１３のうちの一方のトランジスタのオン時間を増大または減少させるとともに他方のトランジスタのオン時間を維持しても構わない。
【０１１３】
今回開示された実施の形態はすべての点で例示であって制限的なものではないと考えられるべきである。本発明の範囲は上記した説明でなくて請求の範囲によって示され、請求の範囲と均等の意味および範囲内でのすべての変更が含まれることが意図される。
【符号の説明】
【０１１４】
１  商用交流電源、２  負荷、３  バッテリ、Ｕ１〜ＵＮ  無停電電源装置、ＴＩａ〜ＴＩｃ  入力端子、ＴＯａ〜ＴＯｄ  出力端子、ＴＢＰ，ＴＢＮ  バッテリ端子、Ｓ１〜Ｓ８  スイッチ、１０  入力フィルタ、１１〜１３，３１〜３３  リアクトル、１４〜１５，３４〜３６，Ｃ１，Ｃ２，Ｃ１１，Ｃ１２  コンデンサ、ＣＤ１〜ＣＤ６  電流検出器、２１〜２３  電力変換器、２４  双方向チョッパ、３０  出力フィルタ、４０  コンバータ、４１  インバータ、４２，５３，６３  制御装置、Ｑ１〜Ｑ８，Ｑ１１〜Ｑ１４  トランジスタ、Ｄ１〜Ｄ８，Ｄ１１〜Ｄ１４  ダイオード、Ｌ１  直流正母線、Ｌ２  直流負母線、Ｌ３  直流中性点母線、Ｆ１〜Ｆ３，Ｆ１１，Ｆ１２  ヒューズ、５０  ノーマルモードリアクトル、５１，５２  コイル、Ｔ１〜Ｔ５  端子、６１，６２  電圧検出器、７０，７１，７５  減算器、７２，７３  制御器、７４  加算器、７６，７７  三角波発生器、７８，７９  比較器。
【図１】
0006527225.tif 000002
【図２】
0006527225.tif 000003
【図３】
0006527225.tif 000004
【図４】
0006527225.tif 000005
【図５】
0006527225.tif 000006
【図６】
0006527225.tif 000007
【図７】
0006527225.tif 000008
【図８】
0006527225.tif 000009
【図９】
0006527225.tif 000010